(57)【要約】【課題】利用者に情報を適切に報知することができる電子機器を提供することにある。【解決手段】表示部と、表示部が鉛直方向上側を向いている第１の姿勢と表示部が鉛直方向下側を向いている第２の姿勢とを検出可能な姿勢検出部と、姿勢検出部で第１の姿勢を検出している状態で機能を実行して、該機能が実行中に姿勢検出部が第２の姿勢に変化したことを検出した場合、該機能を停止して表示部を消灯させる制御部と、を有することで上記課題を解決する。【選択図】図３
2015100131.tif 000002
【特許請求の範囲】
【請求項１】
表示部と、
前記表示部が鉛直方向上側を向いている第１の姿勢と前記表示部が鉛直方向下側を向いている第２の姿勢とを検出可能な姿勢検出部と、
前記姿勢検出部で前記第１の姿勢を検出している状態で機能を実行して、該機能が実行中に前記姿勢検出部が前記第２の姿勢に変化したことを検出した場合、該機能を停止して前記表示部を消灯させる制御部と、を有することを特徴とする電子機器。
【請求項２】
前記機能はイベントの発生を視覚に対して報知する機能を含み、
前記制御部は、
前記姿勢検出部で前記第２の姿勢を検出している状態で前記イベントが発生した後、前記姿勢検出部が前記第１の姿勢に変化したことを検出した場合、
前記視覚に対して報知する機能を実行して前記イベントの内容を前記表示部に表示させることを特徴とする請求項１に記載の電子機器。
【請求項３】
前記制御部は、
前記姿勢検出部で前記第２の姿勢を検出している状態で前記イベントが発生した後、前記姿勢検出部が前記第１の姿勢に変化したことを検出した場合、
前記視覚に対して報知する機能の実行を抑制して、前記表示部にロックの解除を促す表示を表示することを特徴とする請求項２に記載の電子機器。
【請求項４】
操作部をさらに有し、
前記制御部は、前記操作部で前記ロックの解除操作を検出すると、前記視覚に対して報知する機能を実行することを特徴とする請求項３に記載の電子機器。
【請求項５】
筐体の第１の面に前記表示部を、
前記筺体の前記第１の面以外の面に報知部を、備え、
前記制御部は、前記姿勢検出部で前記第１の姿勢を検出した場合、前記表示部の表示を可能とすると共に前記報知部での報知を抑制することを特徴とする請求項１から４のいずれか１項に記載の電子機器。
【請求項６】
前記表示部は、第１表示部であり、
前記報知部は、第２表示部又は発光部であることを特徴とする請求項５に記載の電子機器。
【発明の詳細な説明】
【技術分野】
【０００１】
本発明は、表示部を有する電子機器に関する。
【背景技術】
【０００２】
近年、携帯電話機やＰＤＡ（Personal  Digital  Assistant）、ディジタルカメラ等の電子機器では、直感的な操作を可能にするとともに、キーボードのように物理的に大きな面積を必要とするデバイスを具備しない小型の携帯電子機器を実現するために、表示部と操作部の両方の機能を備えるタッチパネルが広く利用されるようになっている（特許文献１参照）。
【先行技術文献】
【特許文献】
【０００３】
【特許文献１】特開２０１０−３９７７２号公報
【発明の概要】
【発明が解決しようとする課題】
【０００４】
タッチパネルを備える電子機器は、メール受信、着信、予め設定していたスケジュールの通知等のイベントが発生した場合、タッチパネルが点灯され、発生したイベントの内容の画像が表示される。このため、テーブル等に電子機器を置いている状態でイベントが発生すると、タッチパネルに表示されたイベントの内容が他人にも見られてしまう。
【０００５】
これに対して利用者は、テーブル等に電子機器を置く際に、タッチパネルが配置されている面がテーブルと接する向きで置くことで、イベントの内容を見られないようにすることができる。しかしながら、電子機器をタッチパネルが配置されている面がテーブルと接する向きに置くとどのようなイベントが発生したかを把握することができない。
【０００６】
本発明は、上記に鑑みてなされたものであって、利用者に情報を適切に報知することができる電子機器を提供することを目的とする。
【課題を解決するための手段】
【０００７】
上述した課題を解決し、目的を達成するために、本発明は、電子機器であって、表示部と、前記表示部が鉛直方向上側を向いている第１の姿勢と前記表示部が鉛直方向下側を向いている第２の姿勢とを検出可能な姿勢検出部と、前記姿勢検出部で前記第１の姿勢を検出している状態で機能を実行して、該機能が実行中に前記姿勢検出部が前記第２の姿勢に変化したことを検出した場合、該機能を停止して前記表示部を消灯させる制御部と、を有することを特徴とする。
【０００８】
ここで、前記機能は前記イベントの発生を視覚に対して報知する機能を含み、前記制御部は、前記姿勢検出部で前記第２の姿勢を検出している状態で前記イベントが発生した後、前記姿勢検出部が前記第１の姿勢に変化したことを検出した場合、前記視覚に対して報知する機能を実行して前記イベントの内容を前記表示部に表示させることが好ましい。
【０００９】
また、前記制御部は、前記姿勢検出部で前記第２の姿勢を検出している状態で前記イベントが発生した後、前記姿勢検出部が前記第１の姿勢に変化したことを検出した場合、前記視覚に対して報知する機能の実行を抑制して、前記表示部にロックの解除を促す表示を表示することが好ましい。
【００１０】
また、操作部をさらに有し、前記制御部は、前記操作部で前記ロックの解除操作を検出すると、前記視覚に対して報知する機能を実行することが好ましい。
【００１１】
また、筐体の第１の面に前記表示部を、前記筺体の前記第１の面以外の面に報知部を、備え、前記制御部は、前記姿勢検出部で前記第１の姿勢を検出した場合、前記表示部の表示を可能とすると共に前記報知部での報知を抑制することが好ましい。
【００１２】
また、前記表示部は、第１表示部であり、前記報知部は、第２表示部又は発光部であることが好ましい。
【発明の効果】
【００１３】
本発明に係る電子機器は、利用者に情報を適切に報知することができるという効果を奏する。
【図面の簡単な説明】
【００１４】
【図１】図１は、携帯電話端末の外観を示す斜視図である。
【図２Ａ】図２Ａは、携帯電話端末の外観を示す正面図である。
【図２Ｂ】図２Ｂは、携帯電話端末の外観を示す背面図である。
【図２Ｃ】図２Ｃは、携帯電話端末の外観を示す上面図である。
【図３】図３は、携帯電話端末の機能的な構成を示すブロック図である。
【図４】図４は、携帯電話端末の動作を示すフローチャートである。
【図５】図５は、携帯電話端末の動作を示すフローチャートである。
【図６】図６は、携帯電話端末の動作を示すフローチャートである。
【図７】図７は、携帯電話端末の動作を示すフローチャートである。
【発明を実施するための形態】
【００１５】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器の一例として携帯電話端末について説明するが、本発明の適用対象は携帯電話端末に限定されるものではなく、利用者が筐体の向きを変えることができる各種電子機器、例えば、ＰＨＳ（Personal  Handy-phone  System）、ＰＤＡ（Personal  Digital  Assistant）、ポータブルナビゲーション装置、ゲーム機等に対しても本発明は適用できる。なお電子機器としては、携帯型の電子機器を用いることが好ましい。
【００１６】
（実施形態）
まず、図１と図２Ａから図２Ｃとを参照しながら、本発明に係る電子機器の一実施形態である携帯電話端末１の外観について説明する。図１は、携帯電話端末１の外観を示す斜視図である。図２Ａは、携帯電話端末の外観を示す正面図であり、図２Ｂは、携帯電話端末の外観を示す背面図であり、図２Ｃは、携帯電話端末の外観を示す上面図である。図１と図２Ａから図２Ｃとに示すように、携帯電話端末１は、面積が他の面よりも広い２つの面を有する略六面体形状の筐体２０を有し、その筐体２０の表面にタッチセンサ２Ａおよび第１表示部２Ｂで構成されるタッチパネル２と、入力部３と、レシーバ７と、マイク８と、第２表示部１２と、発光部１３と、を備える。
【００１７】
携帯電話端末１は、図２Ａに示すように、筐体２０の面積が最も広い面の１つ面である正面１Ａ（第１の面）にタッチパネル２と、入力部３と、レシーバ７と、マイク８と、が配置されている。なお、タッチパネル２は、正面１Ａの略全域に配置されている。入力部３とマイク８とは、正面１Ａの長手方向の一方の端部に配置されている。レシーバ７は、正面１Ａの長手方向の他方の端部に配置されている。つまり、レシーバ７とマイク８とは、長手方向の両端にそれぞれ配置されている。また、携帯電話端末１は、図２Ｂに示すように、筐体２０の正面１Ａとは反対側の面である背面１Ｂ（第２の面）に第２表示部１２が配置されている。また、携帯電話端末１は、図２Ｃに示すように、筐体２０の正面１Ａと背面１Ｂとで挟まれた側面のうち、正面１Ａのレシーバ７が配置されている端部（短辺）に隣接する側面である上側面１Ｃに発光部１３が配置されている。また、筐体２０は、１つの箱形状であるため、タッチパネル２（第１表示部２Ｂ）、第２表示部１２、発光部１３等の各部は、常時露出しており、筐体２０によって隠れない。
【００１８】
タッチパネル２は、正面１Ａに設けられ、文字、図形、画像等を表示するとともに、指、スタイラス、ペン等（以下、単に「指」という）を用いてタッチパネル２に対して行われる各種操作を検出する。なお、タッチパネル２が各種操作を検出する方式は、静電容量式、感圧式等の任意の方式であってよい。入力部３は、所定の機能が割り当てられたボタン３Ａ、ボタン３Ｂおよびボタン３Ｃ等の複数のボタンからなる。
【００１９】
次に、図３を参照しながら、携帯電話端末１の機能的な構成について説明する。図３は、携帯電話端末１の機能的な構成を示すブロック図である。図３に示すように携帯電話端末１は、タッチパネル２と、入力部３と、電源部５と、通信部６と、レシーバ７と、マイク８と、記憶部９と、制御部１０と、ＲＡＭ（Random  Access  Memory）１１と、第２表示部１２と、発光部１３と、姿勢検出部１４と、を有する。なお、本実施形態では、第１表示部２Ｂが表示部となり、第２表示部１２および発光部１３の少なくとも一方が報知部となる。また、本実施形態では、タッチセンサ２Ａと入力部３とが操作部となる。
【００２０】
タッチパネル２は、第１表示部２Ｂと、第１表示部２Ｂに重畳されたタッチセンサ２Ａとを有する。タッチセンサ２Ａは、指を用いてタッチパネル２に対して行われた各種操作を、操作が行われた場所のタッチパネル２上での位置とともに検出し、制御部１０に通知する。タッチセンサ２Ａによって検出される操作には、タップ操作やスイープ操作が含まれる。第１表示部２Ｂは、例えば、液晶ディスプレイ（ＬＣＤ、Liquid  Crystal  Display）や、有機ＥＬ（Organic  Electro−Luminescence）パネルなどで構成され、文字や図形等を表示する。
【００２１】
入力部３は、物理的なボタン等を通じて利用者の操作を受け付け、受け付けた操作に対応する信号を制御部１０へ送信する。電源部５は、蓄電池または外部電源から得られる電力を、制御部１０を含む携帯電話端末１の各機能部へ供給する。
【００２２】
通信部６は、基地局によって割り当てられるチャネルを介し、基地局との間でＣＤＭＡ方式などによる無線信号回線を確立し、基地局との間で電話通信及び情報通信を行う。レシーバ７は、制御部１０から送信される音声信号を音声として出力する。マイク８は、利用者等の音声を音声信号へ変換して制御部１０へ送信する。
【００２３】
記憶部９は、例えば、不揮発性メモリや磁気記憶装置であり、制御部１０での処理に利用されるプログラムやデータを保存する。記憶部９に記憶されるプログラムには、メールプログラム９Ａと、ブラウザプログラム９Ｂと、表示通知制御プログラム９Ｃと、姿勢検出プログラム９Ｄとが含まれる。また、記憶部９に記憶されるデータには、表示通知制御定義データ９Ｅが含まれる。記憶部９は、携帯電話端末１の基本的な機能を実現するオペレーティングシステムプログラムやアドレス帳データ等のその他のプログラムやデータも記憶する。なお、記憶部９は、メモリカード等の可搬の記憶媒体と、記憶媒体の読み取り装置との組み合わせとして構成されていてもよい。
【００２４】
メールプログラム９Ａは、電子メール機能を実現するための機能を提供する。ブラウザプログラム９Ｂは、ＷＥＢブラウジング機能を実現するための機能を提供する。表示通知制御プログラム９Ｃは、他のプログラム等の機能で発生したイベントを画面表示や他の手段で通知する機能および第１表示部２Ｂと第２表示部１２との表示を制御する機能を実現するための機能を提供する。姿勢検出プログラム９Ｄは、姿勢検出部１４での検出結果を処理し筐体２０の姿勢を検出する処理を実現するための機能を提供する。表示通知制御定義データ９Ｅは、姿勢検出プログラム９Ｄを処理して実現される機能で検出される筐体２０の姿勢の検出結果に応じて表示通知制御プログラム９Ｃを処理して実現される機能で実行させる処理についての定義を保持する。
【００２５】
制御部１０は、例えば、ＣＰＵ（Central  Processing  Unit）であり、携帯電話端末１の動作を統括的に制御して各種の機能を実現する。具体的には、制御部１０は、記憶部９に記憶されているデータやＲＡＭ１１に展開したデータを必要に応じて参照しつつ、記憶部９に記憶されているプログラムに含まれる命令を実行して、表示部２Ｂや、通信部６等を制御することによって各種機能を実現する。なお、制御部１０が実行するプログラムや参照するデータは、通信部６による無線通信でサーバ装置からダウンロードすることとしてもよい。
【００２６】
制御部１０は、例えば、メールプログラム９Ａを実行することによって、電子メール機能を実現する。また、制御部１０は、表示通知制御プログラム９Ｃを実行することによって、他のプログラム等の機能で発生したイベントを画面表示や他の手段で通知する機能および第１表示部２Ｂと第２表示部１２との表示を制御する機能を実現するための機能を実現する。また、制御部１０は、姿勢検出プログラム９Ｄを実行することによって、姿勢検出部１４の検出結果に基づいて筐体２０の姿勢を検出する機能を実現する。なお、制御部１０は、オペレーティングシステムプログラムによって提供されるマルチタスク機能によって、複数のプログラムを並行して実行できるものとする。
【００２７】
ＲＡＭ１１は、制御部１０によって実行されるプログラムの命令、制御部１０が参照するデータ、制御部１０の演算結果等が一時的に記憶される記憶領域として利用される。
【００２８】
第２表示部１２は、背面１Ｂに配置された画像を表示する表示装置である。つまり、タッチパネル２（第１表示部２Ｂ）が配置されている第１の面の反対側の面である第２の面に配置される。第２表示部１２は、例えば、液晶ディスプレイ（ＬＣＤ、Liquid  Crystal  Display）や、有機ＥＬ（Organic  Electro−Luminescence）パネルなどで構成され、文字や図形等を表示する。第２表示部１２は、タッチパネル２を構成する第１表示部２Ｂよりも画面の表示面積が小さい。また、第２表示部１２は、第１表示部２Ｂと同様にタッチパネルの機能を備えていてもよい。
【００２９】
発光部１３は、上側面１Ｃに配置された発光素子である。発光素子としては、ＬＥＤ（Light  Emitting  Diode）、ＥＬ（Organic  Electro−Luminescence）等を用いることができる。発光部１３は、点灯と消灯を切り換えることができ、所定の光を射出させる。なお、発光部１３は、種々の波長、つまり種々の色の光を射出可能であり、射出させる光の色を切り換え可能であることが好ましい。
【００３０】
姿勢検出部１４は、携帯電話端末１の姿勢、具体的には筐体２０の姿勢（向き）を検出する検出器である。姿勢検出部１４としては、姿勢を検出する種々の方法の検出器を用いることができ、例えば、加速度センサ（具体的には３軸の加速度センサ）で姿勢を検出する検出器や、ジャイロセンサ（具体的には３軸のジャイロセンサ）で姿勢を検出する検出器や、３軸のジャイロと３軸の加速度センサとの組み合わせ等で姿勢を検出する検出器を用いることができる。姿勢検出部１４として加速度センサを用いる場合、加速度センサを筐体２０の所定位置に固定し、加速度センサの検出結果から重力加速度の方向、つまり鉛直方向を算出し、加速度センサが固定されている向きと重力加速度の方向との関係に基づいて筐体２０の向きを検出することができる。姿勢検出部１４は、携帯電話端末１の姿勢を検出し、検出結果を制御部１０に送る。なお、姿勢検出部１４は、携帯電話端末１の姿勢の変化を検出したら、その変化情報を制御部１０に送るようにしても、一定間隔毎に姿勢を検出し、検出した姿勢の情報を制御部１０に送るようにしてもよい。また、姿勢検出部１４は、制御部１０から姿勢の情報の検出指示が送られたら、姿勢の情報を検出し、その検出結果を制御部１０に送るようにしてもよい。
【００３１】
次に、図４から図８を参照しながら、姿勢検出部１４によって検出される筐体２０の向き、具体的にはタッチパネル２（第１表示部２Ｂ）の向きに応じて制御部１０が実行する制御の例について説明する。なお、図４から図８は、それぞれ携帯電話端末の動作を示すフローチャートである。また、図４から図８に示す処理手順は、表示通知制御プログラム９Ｃおよび姿勢検出プログラム９Ｄが提供する機能に基づいて繰り返し実行される。
【００３２】
図４を用いて、制御部１０による基本制御について説明する。携帯電話端末１の制御部１０は、ステップＳ１２として、姿勢検出を行う。つまり、制御部１０は、姿勢検出部１４を用いて筐体２０の姿勢を検出する。制御部１０は、ステップＳ１２で姿勢を検出したら、ステップＳ１４としてタッチパネル２が鉛直方向上向きか判定する。制御部１０は、筐体２０の向きに基づいて正面１Ａが鉛直方向上側を向いている場合、タッチパネル２が鉛直方向上向き（第１の姿勢）であると判定し、正面１Ａが鉛直方向下側を向いている場合、タッチパネル２が鉛直方向下向き（第２の姿勢）であると判定する。なお、正面１Ａが鉛直方向上側を向いているとは、鉛直方向上側から筐体２０を見た場合、正面１Ａの少なくとも一部が見える状態である。なお、正面１Ａが鉛直方向下側を向いているとは、鉛直方向上側から筐体２０を見た場合、背面１Ｂの少なくとも一部が見える状態である。また、本実施形態では、正面１Ａが鉛直方向に平行な状態も正面１Ａが鉛直方向上側を向いている状態に含む。つまり、タッチパネル２の表面が鉛直方向に平行な向きである場合もタッチパネル２が鉛直方向上向き（第１の姿勢）に含む。
【００３３】
制御部１０は、ステップＳ１４でタッチパネル２が鉛直方向上向き（第１の姿勢）である（Ｙｅｓ）と判定したら、ステップＳ１６として、タッチパネル２を点灯可能な設定し、第２表示部１２を消灯の設定とする。つまり、制御部１０は、姿勢検出部１４で第１の姿勢を検出した場合、タッチパネル２（表示部）の表示を可能とすると共に第２表示部１２（報知部）での報知を抑制する状態とする。ここで、タッチパネル２を点灯可能な設定にするとは、イベント等が発生したら、タッチパネル２に画像を表示させ、また、スタンバイ状態等、画像を表示させないモードの場合でも必要に応じてタッチパネル２を点灯させる設定である。つまり、タッチパネル２に画像を表示させるイベントが生じた場合画像を表示させる設定である。また、第２表示部１２を消灯の設定にするとは、イベントが発生しても第２表示部１２に画像を表示させない設定である。
【００３４】
また、制御部１０は、ステップＳ１４でタッチパネル２が鉛直方向上向きではない（Ｎｏ）、つまりタッチパネル２が鉛直方向下向き（第２の姿勢）であると判定したら、ステップＳ１８として、タッチパネル２を消灯の設定し、第２表示部１２を点灯可能な設定とする。つまり、制御部１０は、姿勢検出部１４で第２の姿勢を検出した場合、第２表示部１２（報知部）での報知を可能とすると共にタッチパネル２（表示部）の表示を抑制する状態とする。ここで、タッチパネル２を消灯の設定にするとは、イベントが発生してもタッチパネル２に画像を表示させない設定である。第２表示部１２を点灯可能な設定にするとは、イベント等が発生したら、第２表示部１２に画像を表示させ、また、スタンバイ状態等、画像を表示させないモードの場合でも必要に応じて第２表示部１２を点灯させる設定である。つまり、第２表示部１２に画像を表示させるイベントが生じた場合画像を表示させる設定である。制御部１０は、ステップＳ１６またはステップＳ１８の設定を行ったら、本処理を終了する。
【００３５】
上述したように、本実施例に係る携帯電話端末１（電子機器）は、筐体２０と、筐体２０の正面１Ａ（第１の面）に配置され、常時露出する第１表示部２Ｂ（表示部）と、筐体２０の正面１Ａとは異なる背面１Ｂまたは上側面１Ｃ（第２の面）に配置された視覚に対して報知を行う第２表示部１２（報知部）または発光部１３（報知部）と、筐体２０の姿勢として、正面１Ａが鉛直方向上側を向いている第１の姿勢と、正面１Ａが鉛直方向下側を向いている第２の姿勢とを検出可能な姿勢検出部１４と、姿勢検出部１４で第２の姿勢を検出した場合、第１表示部２Ｂの表示を抑制すると共に、第２表示部１２または発光部１３を報知可能とする制御部１０を備える。また、制御部１０は、姿勢検出部１４で第１の姿勢を検出した場合、第１表示部２Ｂの表示を可能とすると共に第２表示部１２または発光部１３での報知を抑制してもよい。また、制御部１０は、姿勢検出部１４で第２の姿勢を検出している状態で、第１表示部２Ｂに情報を表示するイベントが発生した場合、第１表示部２Ｂに表示させる情報に対応する情報を第２表示部１２または発光部１３で報知してもよい。
【００３６】
図４に示す設定処理を行うことで、制御部１０は、例えばステップＳ１６の設定を行っている状態で、イベントが発生した場合、タッチパネル２にイベントの内容を示す情報を表示させる。また、制御部１０は、ステップＳ１６の設定を行っている状態で、イベントが発生した場合、第２表示部１２にイベントの内容を示す情報を表示させる。制御部１０は、タッチパネル２が鉛直方向上向きの場合、タッチパネル２に画像を表示させ、タッチパネル２が鉛直方向下向きの場合、第２表示部１２に画像を表示させる。
【００３７】
携帯電話端末１は、このように姿勢検出部１４で検出した筐体２０の向き、具体的にはタッチパネル２の向きに基づいて、タッチパネル２を表示可能にするか、第２表示部１２を表示可能にするかを切り換えることで、適切な表示部に画像を表示させることができ、利用者に情報の報知ができる。これにより、携帯電話端末１は、タッチパネル２を伏せた状態、例えば、タッチパネル２がテーブルに向き合うように携帯電話端末１を置いた場合でも、イベントの情報を第２表示部１２に表示することができ、どの種類のイベントが発生したかを利用者に報知することができる。
【００３８】
また、携帯電話端末１は、タッチパネル２が鉛直方向上向き（第１の姿勢）で利用者がタッチパネル２を確認できる場合、タッチパネル２を消灯設定とし、タッチパネル２が鉛直方向下向き（第２の姿勢）の場合、タッチパネル２を消灯設定とし、タッチパネル２の姿勢に応じて、一方の表示部を消灯設定とすることで、利用者が閲覧しない方の表示部を停止した状態とすることができる。これにより、携帯電話端末１の消費電力を低減することができる。また、タッチパネル２が鉛直方向下向き（第２の姿勢）の場合、タッチパネル２を消灯設定することで、イベントの内容が他人に知られる恐れをより低減することができる。第２表示部１２は、第１表示部２Ｂよりも表示面積が小さくてもよい。この構成によれば、タッチパネル２（第１表示部２Ｂ）が鉛直方向下向き（第２の姿勢）の場合、第２表示部１２にイベントの情報が表示されるが、第１表示部２Ｂよりも表示面積が小さいため、よりイベントの内容が他人に知られる恐れを低減することができる。
【００３９】
ここで、制御部１０は、姿勢検出部１４で第２の姿勢を検出している状態で、タッチパネル２の第１表示部２Ｂに情報を表示するイベントが発生した場合、第１表示部２Ｂに表示させる情報に対応するアイコンを第２表示部１２に表示することが好ましい。つまり、制御部１０は、第２表示部１２には、イベントの内容を表示させず、イベントの情報としてイベントの種類のみ、例えば、イベントがメール受信、アラーム、着信のいずれなのかを報知する情報のみを表示させることが好ましい。これにより、利用者は、タッチパネル２を伏せている状態で、イベントが発生してもイベントの内容、例えば誰からの着信、メールであるのか、どのような予定を実行する時間なのかを、他人に知られることを抑制できる。
【００４０】
携帯電話端末１は、図４に示す処理のように、第１の姿勢の場合、第２表示部１２を消灯の設定とすることで、より確実に消費電力を低減できるがこれに限定されない。携帯電話端末１は、第２表示部１２を常に点灯可能な設定としてもよい。
【００４１】
また、携帯電話端末１は、図４に示す処理のように、第２の姿勢を検出した場合、タッチパネル２を消灯する設定とすることで、より確実に消費電力を低減できるがこれに限定されない。携帯電話端末１は、第２の姿勢を検出した場合、タッチパネル２の表示を抑制すればよく、例えば、点灯した状態で画像を表示させない設定としてもよいし、第１の姿勢を検出した場合よりも点灯時間を短くする（つまり短時間で画像を表示させないスタンバイモードに移行する）設定としてもよい。
【００４２】
次に、図５を用いて、メール受信イベント発生時の制御部１０による制御について説明する。なお、メール受信イベントは、制御部１０がメールプログラム９Ａの処理を実行しメール機能を実現することで、当該メール機能から出力される。
【００４３】
携帯電話端末１の制御部１０は、ステップＳ２０としてメールを受信する。制御部１０は、ステップＳ２０でメールを受信すると、ステップＳ２２として、姿勢検出を行う。つまり、制御部１０は、姿勢検出部１４を用いて筐体２０の姿勢を検出する。制御部１０は、ステップＳ２２で姿勢を検出したら、ステップＳ２４としてタッチパネル２が鉛直方向上向きか判定する。
【００４４】
制御部１０は、ステップＳ２４でタッチパネル２が鉛直方向上向き（第１の姿勢）である（Ｙｅｓ）と判定したら、ステップＳ２６として、タッチパネル２に通知を表示する。つまり、制御部１０は、メールを受信したことを示すイベントの情報をタッチパネル２に表示させ、メールの受信を利用者に報知する。なお、制御部１０は、設定によりタッチパネル２にメールを受信したことに加え、送信者の情報や題名、本文の一部または全文を表示部に表示させる。制御部１０は、ステップＳ２６で通知を表示させたら、ステップＳ２８として、タッチパネル２および入力部３で操作を検出する。つまり、制御部１０は、タッチパネル２および入力部３のいずれか一方に入力された操作を検出する。制御部１０は、ステップＳ２８で操作を検出したら、ステップＳ３０として、ステップＳ２８で検出した操作が表示操作であるか判定する。ここで、表示操作とは、ステップＳ２０で受信したメールの本文（全文）等の内容を表示させる操作である。制御部１０は、ステップＳ３０で表示操作なし（Ｎｏ）と判定したら、ステップＳ２８に進む。制御部１０は、このようにステップＳ３０で表示操作ありと判定するまで、ステップＳ２８とステップＳ３０の処理を繰り返す。制御部１０は、ステップＳ３０で表示操作あり（Ｙｅｓ）と判定したら、ステップＳ３８に進む。
【００４５】
また、制御部１０は、ステップＳ２４でタッチパネル２が鉛直方向上向きではない（Ｎｏ）、つまりタッチパネル２が鉛直方向下向き（第２の姿勢）であると判定したら、ステップＳ３２として、第２表示部１２に通知を表示する。つまり、制御部１０は、メールを受信したことを示すイベントの情報を第２表示部１２に表示させ、メールの受信を利用者に報知する。なお、制御部１０は、第２表示部１２には、メールを受信した情報のみ、例えば、受信メールがあることを示すアイコンのみを表示させる。制御部１０は、ステップＳ３２で通知を表示させたら、ステップＳ３４として、姿勢検出を行う。制御部１０は、ステップＳ３４で姿勢を検出したら、ステップＳ３６としてタッチパネル２が鉛直方向上向きか判定する。制御部１０は、ステップＳ３６でタッチパネル２が鉛直方向上向き（第１の姿勢）ではない（Ｎｏ）、つまり第２の姿勢が維持されていると判定したら、ステップＳ３４に進む。制御部１０は、このようにステップＳ３６で第１の姿勢であると判定するまで、つまり、携帯電話端末１は、第２の姿勢から第１の姿勢に変わるまでステップＳ３４とステップＳ３６の処理を繰り返す。制御部１０は、ステップＳ３６でタッチパネル２が鉛直方向上向き（第１の姿勢）である（Ｙｅｓ）と判定したら、ステップＳ３８に進む。
【００４６】
制御部１０は、ステップＳ３０またはステップＳ３６でＹｅｓと判定したら、ステップＳ３８として、タッチパネル２に内容を表示し、第２表示部１２を消灯させる。つまり、制御部１０は、ステップＳ２０で受信したメールの内容をタッチパネル２に表示させ、第２表示部１２が点灯している場合、消灯させる。つまり、制御部１０は、姿勢検出部１４で第２の姿勢を検出している状態で、タッチパネル２（表示部）に情報を表示するイベントが発生した後、姿勢検出部１４が第１の姿勢に変化したことを検出した場合、イベントの内容をタッチパネル２（表示部）に表示する。また、制御部１０は、イベントの情報を表示させていた第２表示部１２（報知部）による報知を抑制する。制御部１０は、ステップＳ３８の処理を行ったら、本処理を終了する。
【００４７】
携帯電話端末１は、このように、メール受信時のタッチパネル２の向きに基づいて、メール受信の通知、つまりイベントの報知を行う手段を切り換えることで、利用者が確認しやすい手段で報知することができる。また、タッチパネル２が鉛直方向下向き（第２の姿勢）の場合は、第２表示部１２にメール受信のイベントの発生のみを通知することで、イベントの内容、例えば、送信者、題名、本文の一部または全文が他人に知られることを抑制できる。
【００４８】
また、携帯電話端末１は、姿勢検出部１４で第２の姿勢を検出している状態で、タッチパネル２（表示部）に情報を表示するイベントが発生した後、姿勢検出部１４が第１の姿勢に変化したことを検出した場合、イベントの内容をタッチパネル２（表示部）に表示することで、筐体２０の姿勢を変えるのみで、つまりタッチパネル２を第１の姿勢にするのみで、メールの内容を表示させることができる。これにより、タッチパネル２や入力部３にメールの内容を表示させるための各種操作の入力を省略することができ、操作を簡単にすることができる。
【００４９】
次に、図６を用いて、携帯電話端末１の動作の一例について説明する。図６は、図５に示す処理のステップＳ３６でＹｅｓと判定した後、ステップＳ３８に進む間に実行する処理の一例である。図６は、制御部１０が表示ロック処理とロック解除処理を実行する場合の動作の一例である。なお、制御部１０は、ステップＳ３６でＹｅｓと判定したら、図６に示す処理を実行する。
【００５０】
まず、制御部１０は、ステップＳ４０として、タッチパネル２にロック画面を表示する。ロック画面は、画面がロックされていることを示す画面である。またロック画面には、「解除操作を入力してください」、「パスワードを入力してください」等の、メールの内容を表示させるためにはロックを解除する操作を入力する必要があることを伝えるメッセージを表示させてもよい。
【００５１】
制御部１０は、ステップＳ４０でロック画面を表示させたら、ステップＳ４２として、タッチパネル２および入力部３で操作を検出する。つまり、制御部１０は、タッチパネル２および入力部３のいずれか一方に入力された操作を検出する。制御部１０は、ステップＳ４２で操作を検出したら、ステップＳ４４として、操作ありか、つまりタッチパネル２および入力部３のいずれか一方が操作を検出したかを判定する。制御部１０は、ステップＳ４４で操作なし（Ｎｏ）と判定したら、ステップＳ４２に進む。つまり、制御部１０は、ステップＳ４２の操作検出で操作を検出するまでステップＳ４２とステップＳ４４の処理を繰り返す。
【００５２】
制御部１０は、ステップＳ４４で操作あり（Ｙｅｓ）と判定したら、ステップＳ４６として、ステップＳ４２で検出した操作がロック解除操作であるか判定する。ロック解除操作とは、利用者の設定または初期設定でロック解除処理が対応付けられた操作である。制御部１０は、ステップＳ４６でロック解除操作ではない（Ｎｏ）と判定したら、ステップＳ４８として、操作を無効、つまり検出した操作を無効とし、操作は入力されていないものとする。制御部１０は、ステップＳ４８で操作を無効としたら、ステップＳ５０として、無効を通知、例えばタッチパネル２にロック解除操作ではないことを通知するメッセージを表示する。制御部１０は、ステップＳ５０の処理を行ったらステップＳ４２に進む。
【００５３】
制御部１０は、ステップＳ４６でロック解除操作である（Ｙｅｓ）と判定したら、ステップＳ５２として、ロックを解除、つまりメールの内容を表示可能な設定とし、本処理を終了する。制御部１０は、図６の処理を行ったら、ステップＳ３８に進む。
【００５４】
つまり、制御部１０は、姿勢検出部１４で第２の姿勢を検出している状態で、第１表示部２Ｂに情報を表示するイベントが発生した後に、姿勢検出部１４が前記第１の姿勢に変化したことを検出した場合、第１表示部２Ｂにロックの解除を促す表示を表示し、タッチパネル２または入力部３の操作部でロックの解除操作を検出すると、イベントの内容を第１表示部２Ｂに表示させる。
【００５５】
携帯電話端末１は、図６に示すように、姿勢検出部１４で第２の姿勢を検出している状態で、タッチパネル２（表示部）に情報を表示するイベントが発生した後、姿勢検出部１４が第１の姿勢に変化したことを検出した場合、画面のロック処理を行い、その後、ロック解除操作が入力されるまでイベントの内容をタッチパネル２に表示させないことで、イベントが発生したことを知った他人が携帯電話端末１を第１の姿勢としても簡単にイベントの内容（メールの内容）が見られないようにすることができる。これにより、他人に不用意にイベントの内容を見られる恐れをより確実に低減することができる。
【００５６】
なお、本実施形態の携帯電話端末１は、第１表示部２Ｂと第２表示部１２とを備え、姿勢検出部１４での検出結果に基づいて第１表示部２Ｂと第２表示部１２とのいずれかを選択して画像を表示させるが、これに限定されない。例えば、図５及び図６に示すように、姿勢検出部１４で第２の姿勢を検出している状態で、タッチパネル２（表示部）に情報を表示するイベントが発生した後、姿勢検出部１４が第１の姿勢に変化したことを検出した場合、画面のロック処理を行い、その後ロック解除操作が入力されるまで、イベントの内容を表示させない処理は、第２表示部１２の有無に係らず用いることができる。つまり、携帯電話端末１を、第２表示部１２を備えない構成とし、図５及び図６に示す処理を行ってもよい。これにより、タッチパネル２を伏せている状態で、イベントが発生した場合に、他人が携帯電話端末１を第１の姿勢としても簡単にイベントの内容（メールの内容）が見られないようにすることができる。また、図５に示す処理のステップＳ３０でＹｅｓと判定した後のステップＳ３８に進む間の処理においては、図６に示す処理を省略することができる。携帯電話端末１が第１の姿勢であるということは、少なくとも第２の姿勢のときよりは、他人にイベントの内容を見られることを警戒していないと考えられる。このため、図６に示すようなロックの解除操作を省略することにより、操作性がより向上する。
【００５７】
次に、図７を用いて、携帯電話端末１の動作の一例について説明する。図７に示す処理は、携帯電話端末１が第１の姿勢でタッチパネル２を点灯状態としている場合の処理である。
【００５８】
制御部１０は、ステップＳ６０として、タッチパネル２に内容を表示し、第２表示部１２を消灯させる。つまり、制御部１０は、各種プログラムを処理して実現させる機能で表示させている内容をタッチパネル２に表示させ、第２表示部１２を消灯させる。なお、制御部１０は、タッチパネル２や入力部３に操作が入力された場合、入力された操作に応じてタッチパネル２に表示させる内容を切り換える。
【００５９】
制御部１０は、ステップＳ６０でタッチパネル２に内容を表示し、第２表示部１２を消灯させている状態としたら、ステップＳ６２として、姿勢検出を行う。制御部１０は、ステップＳ６２で姿勢を検出したら、ステップＳ６４としてタッチパネル２が鉛直方向下向きか判定する。制御部１０は、ステップＳ６４でタッチパネル２が鉛直方向下向き（第２の姿勢）ではない（Ｎｏ）、つまり第１の姿勢が維持されていると判定したら、ステップＳ６２に進む。制御部１０は、このようにステップＳ６４で第２の姿勢であると判定するまで、つまり、携帯電話端末１は、第１の姿勢から第２の姿勢に変わるまでステップＳ６２とステップＳ６４の処理を繰り返す。
【００６０】
制御部１０は、ステップＳ６４でタッチパネル２が鉛直方向下向き（第２の姿勢）である（Ｙｅｓ）と判定したら、つまり第１の姿勢から第２の姿勢に変わったと判定したら、ステップＳ６６として、第２表示部１２に通知を表示し、タッチパネル２を消灯させる。なお、第２表示部１２に表示させる通知としては、起動しているプログラムの種類を示すアイコンや、表示を終了したことを示す画像等がある。また、制御部１０は、ステップＳ６６で、各種プログラムを処理して実現させる機能を停止し、その旨を通知として表示させてもよい。制御部１０は、ステップＳ６６の処理を行ったら本処理を終了する。つまり、制御部１０は、姿勢検出部１４で第１の姿勢を検出している状態でアプリケーション（機能）を起動して、該アプリケーションが起動中に姿勢検出部１４が第２の姿勢に変化したことを検出した場合、該アプリケーションを終了して第１表示部２Ｂを消灯させる。
【００６１】
携帯電話端末１は、第１の姿勢で各種機能を実行している状態で、第１の姿勢から第２の姿勢に変わったと判定したら、タッチパネル２を消灯し、第２表示部１２にその旨の通知を表示させることで、タッチパネル２が伏せられた状態となった場合に自動的にタッチパネル２への画像の表示を停止することができる。これにより、消費電力を低減することができる。
【００６２】
携帯電話端末１は、第１の姿勢で各種機能を実行している状態で、第１の姿勢から第２の姿勢に変わったと判定したら、各種プログラムを処理して実現させる機能を停止することで、利用者は終了操作を入力しなくても、当該機能を停止させることができる。これにより、迅速かつ簡単に実行している機能を停止させることができる。
【００６３】
また、上記の実施形態では、表示手段としてタッチパネルを有する電子機器に本発明を適用する例について説明したが、本発明は、表示手段として、タッチセンサが重畳されていない単なる表示パネルを有する電子機器に適用することもできる。
【００６４】
また、上記の実施形態では、第２の姿勢の場合にタッチパネル２の変わりに報知を行う報知部として、第２表示部１２を用いたが、発光部１３を用いてもよい。なお、発光部１３は、イベントが発生したら、発光することで利用者にイベントの発生を視覚で通知することができる。このように、携帯電話端末１は、タッチパネル２に画像を表示させて利用者に通知を行う対象が発生したら、発光部１３を発光させることで、第２の姿勢の際にタッチパネル２に画像を表示させなくてもイベントの発生等を利用者に報知することができる。
【００６５】
また、報知部は、第２表示部１２や発光部１３のようにタッチパネル２が配置されている面（正面１Ａ）とは異なる面に配置されていればよい。携帯電話端末１は、タッチパネル２が配置されている面以外の面に報知部を設け、タッチパネル２が鉛直方向下向きである第２の姿勢である場合、基本的に鉛直方向上側から見える位置にある報知部から報知を行うことで、利用者にイベント発生等の通知を行うことができる。なお、報知部は、第２表示部１２のように、タッチパネル２が配置されている面とは反対側に配置することが好ましい。これにより、タッチパネル２が鉛直方向下向きである第２の姿勢である場合、報知部がより確実に鉛直方向上側から見える位置に配置されるようにすることができる。なお、上記の実施形態では、姿勢検出部１４を加速度センサやジャイロセンサとしたが、筐体の任意の面（例えば、正面１Ａ等）に配置された照度センサや近接センサとしてもよい。照度センサにおいては周囲の明るさ（照度センサが配置された面が鉛直方向上向きの場合は明るく、鉛直方向下向きの場合は暗くなる）により筐体の姿勢を検出する。近接センサにおいては、物が近接しているか、していないかにより筐体の姿勢を検出することができる。なお、これら照度センサや近接センサと加速度センサやジャイロセンサを組み合わせて姿勢検出の精度を高めてもよい。
【符号の説明】
【００６６】
１  携帯電話端末
１Ａ  正面
１Ｂ  背面
１Ｃ  上側面
２  タッチパネル
２Ａ  タッチセンサ
２Ｂ  第１表示部
３  入力部
５  電源部
６  通信部
７  レシーバ
８  マイク
９  記憶部
９Ａ  メールプログラム
９Ｂ  ブラウザプログラム
９Ｃ  表示通知制御プログラム
９Ｄ  姿勢検出プログラム
９Ｅ  表示通知制御定義データ
１０  制御部
１１  ＲＡＭ
１２  第２表示部
１３  発光部
１４  姿勢検出部
２０  筐体
【図１】
2015100131.tif 000003
【図２Ａ】
2015100131.tif 000004
【図２Ｂ】
2015100131.tif 000005
【図２Ｃ】
2015100131.tif 000006
【図３】
2015100131.tif 000007
【図４】
2015100131.tif 000008
【図５】
2015100131.tif 000009
【図６】
2015100131.tif 000010
【図７】
2015100131.tif 000011